(57)【要約】【課題】発光色毎に発光素子の点灯時間の上限又は下限を記憶し、点灯させるべき発光色以外の発光素子の点灯時間が上限を超過した場合は、点灯させるべき発光色の発光素子を点灯させ、又は点灯中の発光素子の点灯時間が下限を超過するまでは、他の発光色の発光素子は点灯させない構成とすることにより、点灯させるべき発光色の発光素子のみ点灯させて色バランスを安定して保ち、特定の発光素子が点灯したままとなることを防いで制御回路が破損することを防止し、発光素子を安定して制御することができる投射型表示装置を提供する。【解決手段】各色ＬＥＤ１Ｒ，１Ｒ，…、１Ｇ，１Ｇ，…、１Ｂ，１Ｂ，…を点灯させるための各色制御回路１１Ｒ，１１Ｇ，１１Ｂの近傍に、ＤＭＤ制御部２１で生成された各色制御パルス電流を記憶部１２１に記憶した発光色毎の点灯時間の上限又は下限に基づいて補正する補正部１２を配置する。【選択図】図１
2008083560.tif 000002
【特許請求の範囲】
【請求項１】
発光色が異なる発光素子を発光色毎に複数有し、複数色の光を発する光源と、発光色毎にグループ分けされた前記発光素子の点灯及び消灯をグループ毎に制御して複数色の光を順次発光させるための制御信号を生成する生成手段と、入力された画像情報に基づいて発光素子から発せられる光を変調させる手段と、変調された光を投射する手段とを備える投射型表示装置において、
グループ毎に発光素子の点灯時間の上限を記憶する手段と、
発光素子が点灯してからの経過時間をグループ毎に計時する計時手段と、
各グループの発光素子が点灯してからの経過時間が、前記上限を超過したか否かを判定する判定手段と、
次に点灯させるグループ以外のグループの発光素子が点灯してからの経過時間が何れも前記上限を超過したと前記判定手段で判定した場合は、次に点灯させるグループの発光素子を点灯させるように前記制御信号を補正する補正手段と
を備えることを特徴とする投射型表示装置。
【請求項２】
発光色が異なる発光素子を発光色毎に複数有し、複数色の光を発する光源と、発光色毎にグループ分けされた前記発光素子の点灯及び消灯をグループ毎に制御して複数色の光を順次発光させるための制御信号を生成する生成手段と、入力された画像情報に基づいて発光素子から発せられる光を変調させる手段と、変調された光を投射する手段とを備える投射型表示装置において、
グループ毎に発光素子の点灯時間の下限を記憶する手段と、
発光素子が点灯してからの点灯時間をグループ毎に計時する計時手段と、
各グループの発光素子が点灯してからの経過時間が、前記下限を超過したか否かを判定する判定手段と、
点灯中のグループの発光素子が点灯してからの経過時間が、前記下限を超過したと前記判定手段で判定するまでは、他のグループの発光素子は点灯させないように前記制御信号を補正する補正手段と
を備えることを特徴とする投射型表示装置。
【請求項３】
前記生成手段は、
所定の閾値を基準にした電流値の高低により前記発光素子の点灯及び消灯を制御する駆動電流を前記制御信号として生成するようにしてあり、
前記駆動電流の電流値を検出する検出手段と、
検出した電流値が前記閾値以上であるか否かを判定する判定手段と、
前記発光素子の点灯時間に比べて短い一定時間毎に、前記検出手段によって駆動電流の電流値を夫々複数回検出する測定手段とを備え、
該測定手段で検出した複数の電流値が何れも閾値未満であると判定した後、さらに前記測定手段で検出した複数の電流値が何れも閾値以上であると判定した場合に、
前記補正手段は、
該当するグループの発光素子の点灯を開始させるように制御信号を補正するようにしてあり、
前記計時手段は、
該当するグループの発光素子の点灯を開始してから計時を開始するようにしてあること
を特徴とする請求項１又は２に記載の投射型表示装置。
【発明の詳細な説明】
【技術分野】
【０００１】
異なる色の光を夫々発光する複数の発光素子を有する光源を備え、入力される画像情報に基づいて前記発光素子から順次発せられる複数色の光を変調し、変調した光を投射する投射型表示装置に関し、特に発光素子を安定して制御する投射型表示装置に関する。
【背景技術】
【０００２】
半導体技術の進展に伴い、光源として発光ダイオード又は半導体レーザ等の発光素子を用いた投射型表示装置の技術が開示されている（特許文献１）。発光素子を光源として使用した投射型表示装置は、従来の高圧水銀ランプ又はメタルハライドランプ等の放電ランプを光源として使用した投射型表示装置と比較して、光源の長寿命化、光源の発熱低下、装置の軽量化、及び省電力化等の優れた効果を発揮する。
【０００３】
また、投射型表示装置では、Ｒ（赤）Ｇ（緑）Ｂ（青）の光の三原色毎に画像を形成するＤＭＤ（Ｄｉｇｉｔａｌ  Ｍｉｒｒｏｒ  Ｄｅｖｉｃｅ：ＴＩ社の登録商標）又は液晶パネル等の画像デバイスを色毎に設け、各色の画像デバイスにＲＧＢ各色の光を発光する発光素子からの光を照射し、各色の画像デバイスによって各色の光が変調され、反射又は透過されることで形成される画像を投射する。この際、色毎に別個に画像デバイスを設ける構成では、色毎の画像デバイスの位置調整が難しく投射画像の色バランスが崩れ易い。そのため、単一の画像デバイスと、ＲＧＢ各色の光を発光する発光素子が時分割で点灯する単一の光源とを備え、該光源からの光を画像デバイスに照射する簡易な構成の投射型表示装置が開示されている（特許文献２）。
【０００４】
この場合、ＲＧＢの光を時分割で画像デバイスに照射する際に画像デバイスでのＲＧＢ各色の画像形成と、画像デバイスへの光の色とが同期していない場合は、適切な色を再現することができない。このため、画像デバイスを制御する制御部から、各色の発光タイミングを示す制御信号を、ＲＧＢ各色の発光色でグループ分けされた発光素子をグループ毎に点灯及び消灯を制御する制御部で受信し、受信した制御信号に同期させてグループ毎に点灯させる。
【特許文献１】特開２００４−１５７２２５号公報
【特許文献２】特開２００４−０３７９５８号公報
【発明の開示】
【発明が解決しようとする課題】
【０００５】
投射型表示装置に配される画像デバイスの制御部と発光素子の制御部とは通常、回路を別にしており、離れて配置されてワイヤハーネスで接続される。このため、ワイヤハーネスに束ねられて制御信号を伝送するケーブルが、投射型表示装置内で発生する電磁波の輻射による影響を受け、制御信号にノイズが乗る場合がある。
【０００６】
この場合、例えば赤色光を発光する発光素子グループの点灯及び消灯を制御する制御部で受信する制御信号にノイズが発生したときは、本来は赤色光を発光する発光素子を点灯させるタイミングではないにも関わらず、赤色光の発光素子を点灯させてしまい、プロジェクタの色バランスを悪化させることがあった。また、ノイズによって制御信号が欠損されて入力されない場合、特定の発光色の発光素子が点灯したままの状態となり、発光素子の点灯及び消灯のスイッチング等を行う制御回路が過負荷となり破壊される虞があった。
【０００７】
本発明は斯かる事情を鑑みてなされたものであり、発光色毎に発光素子の点灯時間の上限を記憶し、点灯させるべき発光色以外の発光素子の点灯時間が上限を超過した場合は、点灯させるべき発光色の発光素子を点灯させる構成とすることにより、画像デバイスの制御部からの制御信号がノイズにより失われた場合であっても、点灯させるべき発光色の発光素子を点灯させて色バランスを安定して保つことができ、特定の発光素子が点灯したままとなることを防いで制御回路が破損することを防止し、発光素子を安定して制御することができる投射型表示装置を提供することを目的とする。
【０００８】
また、本発明の他の目的は、発光色毎に発光素子の点灯時間の下限を記憶し、点灯中の発光素子の点灯時間が下限を超過するまでは、他の発光色の発光素子は点灯させない構成とすることにより、画像デバイスの制御部からの制御信号に、点灯させるべき発光色ではない発光素子を点灯させるノイズが乗っていた場合でも、点灯させるべき発光色の発光素子のみを点灯させることができ、色バランスが安定して保たれる投射型表示装置を提供することにある。
【０００９】
また、本発明の他の目的は、画像デバイスの制御部からの制御信号の電流値の変化が、点灯時間に比べて微少である時間内で著しく上下する場合は、ノイズによる制御信号であると判定して該ノイズによる制御信号を除去して、点灯させるべき発光色以外の発光素子を誤って点灯することを防ぎ、色バランスが安定して保たれる投射型表示装置を提供することにある。
【課題を解決するための手段】
【００１０】
本発明に係る投射型表示装置は、発光色が異なる発光素子を発光色毎に複数有し、複数色の光を発する光源と、発光色毎にグループ分けされた前記発光素子の点灯及び消灯をグループ毎に制御して複数色の光を順次発光させるための制御信号を生成する生成手段と、入力された画像情報に基づいて発光素子から発せられる光を変調させる手段と、変調された光を投射する手段とを備える投射型表示装置において、グループ毎に発光素子の点灯時間の上限を記憶する手段と、発光素子が点灯してからの経過時間をグループ毎に計時する計時手段と、各グループの発光素子が点灯してからの経過時間が、前記上限を超過したか否かを判定する判定手段と、次に点灯させるグループ以外のグループの発光素子が点灯してからの経過時間が何れも前記上限を超過したと前記判定手段で判定した場合は、次に点灯させるグループの発光素子を点灯させるように前記制御信号を補正する補正手段とを備えることを特徴とする。
【００１１】
本発明にあっては、各発光色でグループ分けされた発光素子の点灯してからの経過時間が計時され、次に点灯させるグループ以外のグループの発光素子が点灯してからの経過時間が夫々、各上限を超過した場合は、次に点灯させるグループの発光素子を点灯させるように制御信号が補正される。従って、ある発光色のグループの発光素子を点灯させるための制御信号が欠損された場合でも、他のグループの発光素子が点灯してからの経過時間が上限を超過したことで、該グループの発光素子が点灯する。
【００１２】
本発明に係る投射型表示装置は、発光色が異なる発光素子を発光色毎に複数有し、複数色の光を発する光源と、発光色毎にグループ分けされた前記発光素子の点灯及び消灯をグループ毎に制御して複数色の光を順次発光させるための制御信号を生成する生成手段と、入力された画像情報に基づいて発光素子から発せられる光を変調させる手段と、変調された光を投射する手段とを備える投射型表示装置において、グループ毎に発光素子の点灯時間の下限を記憶する手段と、発光素子が点灯してからの点灯時間をグループ毎に計時する計時手段と、各グループの発光素子が点灯してからの経過時間が、前記下限を超過したか否かを判定する判定手段と、点灯中のグループの発光素子が点灯してからの経過時間が、前記下限を超過したと前記判定手段で判定するまでは、他のグループの発光素子は点灯させないように前記制御信号を補正する補正手段とを備えることを特徴とする。
【００１３】
本発明にあっては、各発光色でグループ分けされた発光素子の点灯してからの経過時間が計時され、点灯中のグループの発光素子が点灯してからの経過時間が、その下限を超過するまでは、他のグループの発光素子は点灯させないように制御信号が補正される。従って、ある発光色のグループの発光素子の点灯中に、他のグループの発光素子を点灯させる制御信号が入力された場合であっても、該グループの点灯時間の下限までは点灯が継続し、他のグループの発光素子は点灯しない。
【００１４】
本発明に係る投射型表示装置は、前記生成手段は、所定の閾値を基準にした電流値の高低により前記発光素子の点灯及び消灯を制御する駆動電流を前記制御信号として生成するようにしてあり、前記駆動電流の電流値を検出する検出手段と、検出した電流値が前記閾値以上であるか否かを判定する判定手段と、前記発光素子の点灯時間に比べて短い一定時間毎に、前記検出手段によって駆動電流の電流値を夫々複数回検出する測定手段とを備え、該測定手段で検出した複数の電流値が何れも閾値未満であると判定した後、さらに前記測定手段で検出した複数の電流値が何れも閾値以上であると判定した場合に、前記補正手段は、該当するグループの発光素子の点灯を開始させるように制御信号を補正するようにしてあり、前記計時手段は、該当するグループの発光素子の点灯を開始してから計時を開始するようにしてあることを特徴とする。
【００１５】
本発明にあっては、点灯時間に比べて短い時間中での発光素子の点灯及び消灯を制御する駆動電流の電流値が全て所定の閾値未満である状態から、全て所定の閾値以上を満たす状態へ変化した場合はノイズによる制御信号ではなく、該当するグループの発光素子の点灯を開始させるための制御信号であると判定される。一方、駆動電流の電流値が所定の閾値を上下する場合は、制御信号はノイズによる制御信号であると判定され、制御信号に該当するグループの発光素子は点灯させない。また、点灯してからの経過時間の計時は、点灯させるための制御信号であると判定して、該当する発光素子を点灯させてから開始される。
【発明の効果】
【００１６】
本発明による場合は、光源からの光を変調する画像デバイスの制御部で発生される光源の制御信号がノイズによって欠損した場合でも、次に点灯させるべき発光色の発光素子以外の発光素子が点灯してからの経過時間が上限を超過したときは、次に点灯させるべき発光色の発光素子を点灯させるように制御信号が補正される。従って、点灯させるべき発光色の発光素子が点灯するため、色バランスを安定して保つことができ、また、上限を超過した発光素子は、次に点灯させるべき発光色の制御信号が欠損された場合でも消灯されるため、特定の発光素子が点灯したままとなり発光素子の点灯及び消灯を制御する制御回路が破損することを防止して発光素子を安定して制御することができる。
【００１７】
本発明による場合は、画像デバイスの制御部からの光源の制御信号にノイズが発生した場合、点灯させるべき発光色以外の発光素子を点灯させる制御信号を検知したときでも、該発光色の発光素子の点灯してからの経過時間が下限を超過するまでは、他の発光色の発光素子を消灯させるよう制御信号が補正される。従って、誤って他の発光色の発光素子を点灯させることを防ぎ、色バランスを安定して保つことができる。
【００１８】
本発明による場合は、発光素子を駆動させるための駆動電流の電流値が点灯時間に比べて短い時間中で所定の閾値を著しく上下した場合は、該当するグループの発光素子を点灯させる制御信号はノイズによるものであると判定してノイズを除去することができる。また、駆動電流の電流値が点灯時間に比べて短い時間中で全て閾値未満である状態から全て閾値以上となる場合は、該当するグループの発光素子を点灯させるための制御信号であると判定し、点灯を開始させることができる。また、点灯してからの経過時間の計測は、点灯させるための制御信号であると判定してから開始することで、画像デバイスの制御部からの制御信号を起点として点灯及び消灯を制御し、誤ったタイミングで点灯させることを防いで色バランスを安定して保つことができる。
【発明を実施するための最良の形態】
【００１９】
（実施の形態１）
以下本発明に係る投射型表示装置を、その実施の形態を示す図面に基づき具体的に説明する。
【００２０】
図１は、本発明に係る投射型表示装置の構成を示すブロック図である。本発明に係る投射型表示装置は、ＲＧＢ色の光を夫々発光するＬＥＤ（Ｌｉｇｈｔ  Ｅｍｉｔｔｉｎｇ  Ｄｉｏｄｅ）を含む光源１と、光源１のＬＥＤの点灯及び消灯を制御する制御部１１と、ＲＧＢの各色毎の画像を形成するＤＭＤ（Ｄｉｇｉｔａｌ  Ｍｉｒｒｏｒ  Ｄｅｖｉｃｅ：ＴＩ社の登録商標）２と、ＤＭＤ２を制御し光源１で発せられる光の色と同期させるための各色用の制御パルス電流を発生するＤＭＤ制御部２１と、前記制御パルス電流を補正した補正パルス電流を制御部１１に入力する補正部１２と、投射レンズ等を有しＤＭＤ２によって反射された光を外部へ投射する投射光学系３とを備える。図１中の白矢印は、光源１で発せられてＤＭＤ２で反射され、投射光学系３で投射される光を示す。
【００２１】
光源１は、赤色光を供給する赤色ＬＥＤ１Ｒ、緑色光を供給する緑色ＬＥＤ１Ｇ、及び青色光を供給する青色ＬＥＤ１Ｂを夫々複数有している。制御部１１は、光源１が有する赤色ＬＥＤ１Ｒ，１Ｒ，…、緑色ＬＥＤ１Ｇ，１Ｇ，…、青色ＬＥＤ１Ｂ，１Ｂ，…と夫々接続し、赤色ＬＥＤ１Ｒ，１Ｒ，…全てをグループとして点灯又は消灯を制御する赤色制御回路１１Ｒと、緑色ＬＥＤ１Ｇ，１Ｇ，…全てをグループとして点灯又は消灯を制御する緑色制御回路１１Ｇと、青色ＬＥＤ１Ｂ，１Ｂ，…全てをグループとして点灯又は消灯を制御する青色制御回路１１Ｂとを備える。
【００２２】
各色制御回路１１Ｒ，１１Ｇ，１１Ｂでは、赤色ＬＥＤ１Ｒ，１Ｒ，…、緑色ＬＥＤ１Ｇ，１Ｇ，…、青色ＬＥＤ１Ｂ，１Ｂ，…が図示しない電源とスイッチを介して夫々接続するようにしてあり、各色制御回路１１Ｒ，１１Ｇ，１１Ｂに入力される電流値の高低によって、スイッチのオン・オフが切り替わるようにしてある。例えば、赤色制御回路１１Ｒに入力される電流値が高い場合は、電源と赤色ＬＥＤ１Ｒ，１Ｒ，…との間のスイッチをオンにして電源からの電流が赤色ＬＥＤ１Ｒ，１Ｒ，…へ供給され、電流値が低い場合は、スイッチをオフにして電源からの電流が赤色ＬＥＤ１Ｒ，１Ｒ，…に供給されないようにしてある。各色制御回路１１Ｒ，１１Ｇ，１１Ｂでは、入力される電流値に対して所定の閾値ＴＨが設定されており、赤色制御回路１１Ｒに入力された電流値が所定の閾値ＴＨ以上である場合は、赤色ＬＥＤ１Ｒ，１Ｒ，…が点灯する。また、緑色制御回路１１Ｇに入力された電流値が所定の閾値ＴＨ以上である場合は、緑色ＬＥＤ１Ｇ，１Ｇ，…が点灯する。同様に青色制御回路１１Ｂに入力された電流値が所定の閾値ＴＨ以上である場合は青色ＬＥＤ１Ｂ，１Ｂ，…が点灯する。
【００２３】
各色ＬＥＤ１Ｒ，１Ｒ，…、１Ｇ，１Ｇ，…、１Ｂ，１Ｂ，…の点灯及び消灯のタイミングは、前記閾値ＴＨ以上のピーク電流値を有するパルス電流を各色制御回路１１Ｒ，１１Ｇ，１１Ｂに夫々入力し、入力するパルス電流のパルス幅を色毎に調整することによって制御することができる。例えば、赤色制御回路１１Ｒに閾値ＴＨ以上のピーク電流値を有するパルス電流が入力された場合、パルス幅に該当する時間は赤色ＬＥＤ１Ｒ，１Ｒ，…が点灯し、光源１から赤色の光が発せられる。各色制御回路１１Ｒ，１１Ｇ，１１Ｂ夫々にパルス部分が時間的に重複しないパルス電流を入力することにより、時分割されたＲＧＢ各色の光が光源１から順次生成される。
【００２４】
ＤＭＤ２は、ＤＭＤ制御部２１が投射型表示装置に入力された画像データに基づいてする指示に従って、ＲＧＢ各色用の画像を時分割で形成する。光源１から発せられるＲＧＢ各色の光は、図示しない光学系によってＤＭＤ２に照射される。ＤＭＤ２は、到達する各色の光と同期したＲＧＢ各色用の画像を形成する。ＲＧＢ各色用の画像を形成したＤＭＤ２によって反射された光が投射光学系３を介して投射されることで、カラー画像が投影される。
【００２５】
ＤＭＤ制御部２１は、ＤＭＤ２で形成させるＲＧＢ各色の画像と、光源１からの各色の光とを同期させるための各色制御パルス電流を生成し、補正部１２へ入力する。
【００２６】
補正部１２は、ＤＭＤ制御部２１で生成されて補正部１２に入力された各色制御パルス電流の電流値の高低を、所定の閾値ＴＨDMD を基準に判定し、各色制御回路１１Ｒ，１１Ｇ，１１Ｂに夫々入力する各色補正パルス電流を生成する。補正部１２は、前記閾値ＴＨDMD 等を記憶する記憶部１２１と、各色ＬＥＤ１Ｒ，１Ｒ，…、１Ｇ，１Ｇ，…、１Ｂ，１Ｂ，…を点灯させてからの夫々の時間を計測する計時部１２２とを備える。
【００２７】
補正部１２は、入力された各色制御パルス電流の電流値が閾値ＴＨDMD 以上であるか否かを各色に対し判定し、入力された各色制御パルス電流の電流値が閾値ＴＨDMD 以上である間はピーク電流値を閾値ＴＨ以上にし、閾値ＴＨDMD 未満である間はベース電流値を閾値ＴＨ未満にした各色補正パルス電流を制御部１１の各色制御回路１１Ｒ，１１Ｇ，１１Ｂに入力する。
【００２８】
図２は、本発明に係る投射型表示装置を構成するＤＭＤ制御部２１で生成される各色制御パルス電流及び補正部１２で補正された後の各色補正パルス電流の例を示すタイミングチャートである。夫々縦軸は電流値を示し、横軸は時間を示す。図２（ａ）は、ＤＭＤ制御部２１で生成される各色制御パルス電流を示す。ＤＭＤ制御部２１は、赤色用の画像をＤＭＤ２で形成させている時間をパルス部分とする赤色制御パルス電流を生成する。同様に、ＤＭＤ制御部２１は、緑色用の画像をＤＭＤ２で形成させている時間をパルス部分とする緑色制御パルス電流と、青色用の画像をＤＭＤ２で形成させている時間をパルス部分とする青色制御パルス電流とを生成し、補正部１２へ夫々入力する。
【００２９】
本発明に係る投射型表示装置では、赤色の再現性を高めるために、ＤＭＤ２に、赤色以外の色の画像を形成させる時間より、赤色の画像を形成させる時間が長く設定されている。従って、赤色ＬＥＤ１Ｒ，１Ｒ，…を点灯させるための赤色制御パルス電流のパルス幅は、赤色以外の色のＬＥＤを点灯させるための制御パルス電流のパルス幅より広い。なお、各色のパルス幅は投射型表示装置の設計により決まるものであり、実施の形態１の構成に限るものではない。
【００３０】
また、各色制御パルス電流のパルス幅つまり各色の画像を形成する時間は、ＤＭＤ制御部２１で設定することが可能である。パルス幅の設定を変更することで、各色のＬＥＤを発光させるタイミングを調整することが可能である。
【００３１】
図２（ｂ）は、補正部１２が各色制御回路１１Ｒ，１１Ｇ，１１Ｂに色毎に入力する各色補正パルス電流の例を示す。補正部１２に入力された各色制御パルス電流が、図２（ａ）で示すようにノイズの影響を受けずに規則的な略矩形波である場合は、補正部１２は、図２（ｂ）で示すように、入力された各色制御パルス電流と同一の各色補正パルス電流を各色制御回路１１Ｒ，１１Ｇ，１１Ｂに入力する。
【００３２】
ところで、本発明に係る投射型表示装置では、ＤＭＤ制御部２１はＤＭＤ２の近傍に設置され、制御部１１及び補正部１２は光源１の近傍に配置される。ＤＭＤ制御部２１と補正部１２とは投射型表示装置内で配置される距離が離れており、ＤＭＤ制御部２１で生成され、入力された各色制御パルス電流は、ワイヤハーネスによって束ねられたケーブルによって夫々補正部１２に伝送される。投射型表示装置では、図示しない回路又はケーブル等により電磁波が発生し、電磁波の輻射によって、ＤＭＤ制御部２１から入力されたパルス電流にノイズが発生する場合がある。また、光源１はＬＥＤで構成されるものの、多少熱量を発生するため、輻射熱によって伝送途中に各色制御パルス電流にノイズが発生する場合がある。このようにＤＭＤ制御部２１から入力される各色制御パルス電流にノイズが発生したときは、各色制御パルス電流のパルス部の信号が欠損する場合がある。
【００３３】
図３は、本発明に係る投射型表示装置を構成するＤＭＤ制御部２１で生成された後ノイズが発生した各色制御パルス電流及び補正部１２で補正された各色補正パルス電流の例を示すタイミングチャートである。夫々縦軸は電流値を示し、横軸は時間を示す。図３（ａ）は、ＤＭＤ制御部２１で生成され、伝送途中でノイズの影響を受けた赤色制御パルス電流を示す。比較のため、ノイズが乗る前の赤色制御パルス電流を二点鎖線で示す。図３（ａ）で示す赤色制御パルス電流には、補正部１２に入力されたときにパルス部分のほとんどがノイズによって閾値ＴＨDMD を満たさない部分がある。補正部１２が、補正部１２に入力される各色制御パルス電流の電流値が閾値ＴＨDMD 以上であるか否かの判定のみで、各色制御回路１１Ｒ，１１Ｇ，１１Ｂに入力する各色補正パルス電流を生成する場合には、電流値が閾値ＴＨDMD 未満である間は、赤色ＬＥＤ１Ｒ，１Ｒ，…を点灯させるための電流値ＴＨ以上の電流を入力することができないため、赤色ＬＥＤ１Ｒ，１Ｒ，…を点灯させることができない。図３（ｂ）は、補正部１２に入力される各色制御パルス電流の電流値が閾値ＴＨDMD 以上であるか否かの判定のみで生成した場合の各色補正パルス電流の例を示す。図３（ｂ）に示す各色補正パルス電流を制御部１１の各色制御回路１１Ｒ，１１Ｇ，１１Ｂに入力した場合は、赤色ＬＥＤ１Ｒ，１Ｒ，…を点灯させるべき時間中であるにも関わらず、各色ＬＥＤ１Ｒ，１Ｒ，…、１Ｇ，１Ｇ，…、１Ｂ，１Ｂ，…の何れも点灯されない時間Ｔ１、Ｔ２、Ｔ３及びＴ４が発生する。
【００３４】
そこで、補正部１２は、計時部１２２で各色ＬＥＤ１Ｒ，１Ｒ，…、１Ｇ，１Ｇ，…、１Ｂ，１Ｂ，…を点灯させてからの点灯時間を夫々計時し、緑色ＬＥＤ１Ｇ，１Ｇ，…、及び青色ＬＥＤ１Ｂ，１Ｂ，…の点灯時間が夫々所定の上限時間Ｔ＿ｕｐＧ，Ｔ＿ｕｐＢを超過した場合は、赤色ＬＥＤ１Ｒ，１Ｒ，…を点灯させるための赤色補正パルス電流を生成し、赤色制御回路１１Ｒに入力する。
【００３５】
各色の上限時間Ｔ＿ｕｐＲ，Ｔ＿ｕｐＧ，Ｔ＿ｕｐＢは、実施の形態１における投射型表示装置の設計時に決定され、補正部１２の記憶部１２１に記憶されている。補正部１２は、緑色ＬＥＤ１Ｇ，１Ｇ，…及び青色ＬＥＤ１Ｂ，１Ｂ，…の点灯時間を計時し、緑色上限時間Ｔ＿ｕｐＧ及び青色上限時間Ｔ＿ｕｐＢを超過したと判定した場合は赤色ＬＥＤ１Ｒ，１Ｒ，…が点灯すべき時間であると判定し、赤色ＬＥＤ１Ｒ，１Ｒ，…を点灯させるための閾値ＴＨ以上のピーク電流値を有する赤色補正パルス電流を生成して赤色制御回路１１Ｒに入力する。図３（ｃ）は、緑色ＬＥＤ１Ｇ，１Ｇ，…及び青色ＬＥＤ１Ｂ，１Ｂ，…の点灯時間が、緑色上限時間Ｔ＿ｕｐＧ及び青色上限時間Ｔ＿ｕｐＢを超過したことにより、赤色を点灯させる時間であると補正部１２が判定して赤色ＬＥＤ１Ｒ，１Ｒ，…を点灯させるために生成した赤色補正パルス電流を示す。
【００３６】
同様に、ＤＭＤ制御部２１からの各色制御パルス電流のうち緑色制御パルス電流にノイズが発生し、閾値ＴＨDMD 以上を満たす制御パルス電流が補正部１２に入力されない場合に、青色ＬＥＤ１Ｂ，１Ｂ，…の点灯時間が青色上限時間Ｔ＿ｕｐＢを超過し、かつ、赤色ＬＥＤ１Ｒ，１Ｒ，…の点灯時間が赤色上限時間Ｔ＿ｕｐＲを超過したときは、緑色ＬＥＤ１Ｇ，１Ｇ，…を点灯させるための緑色補正パルス電流を補正部１２で生成して、緑色制御回路１１Ｇに入力する。同様に、青色制御パルス電流にノイズが発生し、閾値ＴＨDMD 以上を満たす制御パルス電流が補正部１２に入力されない場合に、赤色ＬＥＤ１Ｒ，１Ｒ，…の点灯時間が赤色上限時間Ｔ＿ｕｐＲを超過し、かつ、緑色ＬＥＤ１Ｇ，１Ｇ，…の点灯時間が緑色上限時間Ｔ＿ｕｐＧを超過したときは、青色ＬＥＤ１Ｂ，１Ｂ，…を点灯させるための青色補正パルス電流を補正部１２で生成して青色制御回路１１Ｂに入力する。
【００３７】
次に、補正部１２が、前記のように各色上限時間Ｔ＿ｕｐＲ，Ｔ＿ｕｐＧ，Ｔ＿ｕｐＢに基づいてＤＭＤ制御部２１から入力された各色制御パルス電流を補正した各色補正パルス電流を、制御部１１の各色制御回路１１Ｒ，１１Ｇ，１１Ｂに夫々入力する処理手順について説明する。図４及び図５は、補正部１２が、ＤＭＤ制御部２１から入力された各色制御パルス電流を補正する処理手順を示すフローチャートである。
【００３８】
補正部１２は、青色ＬＥＤ１Ｂ，１Ｂ，…の点灯時間を計時部１２２で計時し、青色ＬＥＤ１Ｂ，１Ｂ，…を点灯させている間、次に赤色ＬＥＤ１Ｒ，１Ｒ，…を点灯させるための赤色制御パルス電流の電流値が閾値ＴＨDMD 以上であるか否かを判断する（ステップＳ１０１）。補正部１２が赤色制御パルス電流の電流値が閾値ＴＨDMD 以上であると判断した場合は（Ｓ１０１：ＹＥＳ）、赤色ＬＥＤ１Ｒ，１Ｒ，…を点灯させるタイミングであると判断できるため、補正部１２は、電流値が閾値ＴＨ以上の赤色補正パルス電流を赤色制御回路１１Ｒに入力して赤色ＬＥＤ１Ｒ，１Ｒ，…を点灯させ、青色制御回路１１Ｂに入力していた青色補正パルス電流の電流値を閾値ＴＨ未満にして青色ＬＥＤ１Ｂ，１Ｂ，…を消灯させ（ステップＳ１０２）、赤色ＬＥＤ１Ｒ，１Ｒ，…の点灯時間の計時を開始する（ステップＳ１０３）。
【００３９】
補正部１２が赤色制御パルス電流の電流値が閾値ＴＨDMD 未満であると判断した場合は（Ｓ１０１：ＮＯ）、補正部１２は、赤色ＬＥＤ１Ｒ，１Ｒ，…を点灯させるべき時間であるか否かを、緑色ＬＥＤ１Ｇ，１Ｇ，…の点灯時間及び青色ＬＥＤ１Ｂ，１Ｂ，…の点灯時間が、緑色上限時間Ｔ＿ｕｐＧ及び青色上限時間Ｔ＿ｕｐＢを既に超過しているか否かで判断する（ステップＳ１０４）。補正部１２が緑色ＬＥＤ１Ｇ，１Ｇ，…の点灯時間及び青色ＬＥＤ１Ｂ，１Ｂ，…の点灯時間が緑色上限時間Ｔ＿ｕｐＧ及び青色上限時間Ｔ＿ｕｐＢを超過していないと判断した場合は（Ｓ１０４：ＮＯ）、未だ赤色ＬＥＤ１Ｒ，１Ｒ，…を点灯させるべき時間ではないため、補正部１２は、処理をステップＳ１０１へ戻し、赤色ＬＥＤ１Ｒ，１Ｒ，…を点灯させるための赤色制御パルス電流の電流値が閾値ＴＨDMD 以上であると判断するまで待機する。
【００４０】
一方、補正部１２が緑色上限時間Ｔ＿ｕｐＧ及び青色上限時間Ｔ＿ｕｐＢを既に超過していると判断した場合は（Ｓ１０４：ＹＥＳ）、赤色ＬＥＤ１Ｒ，１Ｒ，…を点灯させるタイミングであると判断できるため、補正部１２は、電流値が閾値ＴＨ以上の赤色補正パルス電流を赤色制御回路１１Ｒに入力して赤色ＬＥＤ１Ｒ，１Ｒ，…を点灯させ、青色制御回路１１Ｂに入力していた青色補正パルス電流の電流値を閾値ＴＨ未満にして青色ＬＥＤ１Ｂ，１Ｂ，…を消灯させ（ステップＳ１０２）、赤色ＬＥＤ１Ｒ，１Ｒ，…の点灯時間の計時を開始する（ステップＳ１０３）。
【００４１】
補正部１２は、赤色ＬＥＤ１Ｒ，１Ｒ，…の点灯時間を計時部１２２で計時し、赤色ＬＥＤ１Ｒ，１Ｒ，…を点灯させている間、次に緑色ＬＥＤ１Ｇ，１Ｇ，…を点灯させるための緑色制御パルス電流の電流値が閾値ＴＨDMD 以上であるか否かを判断する（ステップＳ１０５）。補正部１２が緑色制御パルス電流の電流値が閾値ＴＨDMD 以上であると判断した場合は（Ｓ１０５：ＹＥＳ）、緑色ＬＥＤ１Ｇ，１Ｇ，…を点灯させるタイミングであると判断できるため、補正部１２は、電流値が閾値ＴＨ以上の緑色補正パルス電流を緑色制御回路１１Ｇに入力して緑色ＬＥＤ１Ｇ，１Ｇ，…を点灯させ、赤色制御回路１１Ｒに入力していた赤色補正パルス電流の電流値を閾値ＴＨ未満にして赤色ＬＥＤ１Ｒ，１Ｒ，…を消灯させ（ステップＳ１０６）、緑色ＬＥＤ１Ｇ，１Ｇ，…の点灯時間の計時を開始する（ステップＳ１０７）。
【００４２】
補正部１２が緑色制御パルス電流の電流値が閾値ＴＨDMD 未満であると判断した場合は（Ｓ１０５：ＮＯ）、補正部１２は、緑色ＬＥＤ１Ｇ，１Ｇ，…を点灯させるべき時間であるか否かを、青色ＬＥＤ１Ｂ，１Ｂ，…の点灯時間及び赤色ＬＥＤ１Ｒ，１Ｒ，…の点灯時間が、青色上限時間Ｔ＿ｕｐＢ及び赤色上限時間Ｔ＿ｕｐＲを既に超過しているか否かで判断する（ステップＳ１０８）。補正部１２が青色ＬＥＤ１Ｂ，１Ｂ，…の点灯時間及び赤色ＬＥＤ１Ｒ，１Ｒ，…の点灯時間が青色上限時間Ｔ＿ｕｐＢ及び赤色上限時間Ｔ＿ｕｐＲを超過していないと判断した場合は（Ｓ１０８：ＮＯ）、未だ緑色ＬＥＤ１Ｇ，１Ｇ，…を点灯させるべき時間ではないため、補正部１２は、処理をステップＳ１０５に戻し、緑色ＬＥＤ１Ｇ，１Ｇ，…を点灯させるための緑色制御パルス電流の電流値が閾値ＴＨDMD 以上であると判断するまで待機する。
【００４３】
一方、補正部１２が青色上限時間Ｔ＿ｕｐＢ及び赤色上限時間Ｔ＿ｕｐＲを既に超過していると判断した場合は（Ｓ１０８：ＹＥＳ）、緑色ＬＥＤ１Ｇ，１Ｇ，…を点灯させるタイミングであると判断できるため、補正部１２は、電流値が閾値ＴＨ以上の緑色補正パルス電流を緑色制御回路１１Ｇに入力して緑色ＬＥＤ１Ｇ，１Ｇ，…を点灯させ、赤色制御回路１１Ｒに入力していた赤色補正パルス電流の電流値を閾値ＴＨ未満にして赤色ＬＥＤ１Ｒ，１Ｒ，…を消灯させ（ステップＳ１０６）、緑色ＬＥＤ１Ｇ，１Ｇ，…の点灯時間の計時を開始する（ステップＳ１０７）。
【００４４】
補正部１２は、緑色ＬＥＤ１Ｇ，１Ｇ，…の点灯時間を計時部１２２で計時し、緑色ＬＥＤ１Ｇ，１Ｇ，…を点灯させている間、次に青色ＬＥＤ１Ｂ，１Ｂ，…を点灯させるための青色制御パルス電流の電流値が閾値ＴＨDMD 以上であるか否かを判断する（ステップＳ１０９）。補正部１２が青色制御パルス電流の電流値が閾値ＴＨDMD 以上であると判断した場合は（Ｓ１０９：ＹＥＳ）、青色ＬＥＤ１Ｂ，１Ｂ，…を点灯させるタイミングであると判断できるため、補正部１２は、電流値が閾値ＴＨ以上の青色補正パルス電流を青色制御回路１１Ｂに入力して青色ＬＥＤ１Ｂ，１Ｂ，…を点灯させ、緑色制御回路１１Ｇに入力していた緑色補正パルス電流の電流値を閾値ＴＨ未満にして緑色ＬＥＤ１Ｇ，１Ｇ，…を消灯させ（ステップＳ１１０）、青色ＬＥＤ１Ｂ，１Ｂ，…の点灯時間の計時を開始する（ステップＳ１１１）。
【００４５】
補正部１２が青色制御パルス電流の電流値が閾値ＴＨDMD 未満であると判断した場合は（Ｓ１０９：ＮＯ）、補正部１２は、青色ＬＥＤ１Ｂ，１Ｂ，…を点灯させるべき時間であるか否かを、赤色ＬＥＤ１Ｒ，１Ｒ，…の点灯時間及び緑色ＬＥＤ１Ｇ，１Ｇ，…の点灯時間が、赤色上限時間Ｔ＿ｕｐＲ及び緑色上限時間Ｔ＿ｕｐＧを既に超過しているか否かで判断する（ステップＳ１１２）。補正部１２が赤色ＬＥＤ１Ｒ，１Ｒ，…の点灯時間及び緑色ＬＥＤ１Ｇ，１Ｇ，…の点灯時間が赤色上限時間Ｔ＿ｕｐＲ及び緑色上限時間Ｔ＿ｕｐＧを超過していないと判断した場合は（Ｓ１１２：ＮＯ）、未だ青色ＬＥＤ１Ｂ，１Ｂ，…を点灯させるべき時間ではないため、補正部１２は、処理をステップＳ１０９に戻し、青色ＬＥＤ１Ｂ，１Ｂ，…を点灯させるための青色制御パルス電流の電流値が閾値ＴＨDMD 以上であると判断するまで待機する。
【００４６】
一方、補正部１２が赤色上限時間Ｔ＿ｕｐＲ及び緑色上限時間Ｔ＿ｕｐＧを既に超過していると判断した場合は（Ｓ１１２：ＹＥＳ）、青色ＬＥＤ１Ｂ，１Ｂ，…を点灯させるタイミングであると判断できるため、補正部１２は、電流値が閾値ＴＨ以上の青色補正パルス電流を青色制御回路１１Ｂに入力して青色ＬＥＤ１Ｂ，１Ｂ，…を点灯させ、緑色制御回路１１Ｇに入力していた緑色補正パルス電流の電流値を閾値ＴＨ未満にして緑色ＬＥＤ１Ｇ，１Ｇ，…を消灯させ（ステップＳ１１０）、青色ＬＥＤ１Ｂ，１Ｂ，…の点灯時間の計時を開始する（ステップＳ１１１）。
【００４７】
補正部１２が、処理をステップＳ１０１に戻して、以上の処理手順を繰り返し、各色制御回路１１Ｒ，１１Ｇ，１１Ｂに各色補正パルス電流を適宜入力させることで、各色ＬＥＤ１Ｒ，１Ｒ，…、１Ｇ，１Ｇ，…、１Ｂ，１Ｂ，…が交互に発光される。
【００４８】
上記の処理により、各色ＬＥＤを点灯させてからの点灯時間を計時し、点灯時間が記憶した上限時間を超過した場合は、点灯させるべき発光色のＬＥＤを点灯させる制御を行う。これにより、制御信号である各色制御パルス電流にノイズが発生して各色ＬＥＤを点灯させるための制御信号が入力されない場合であっても、点灯させるべき各色ＬＥＤを点灯させることができる。また、次に点灯させるべき色の制御信号が入力されないために特定の発光色のＬＥＤを点灯させ続けて制御回路が破損することを防ぐことができ、安定して各色ＬＥＤの制御をすることができる。また、例えば赤色ＬＥＤを点灯すべきタイミングに青色ＬＥＤが点灯し続ける等、誤った色のＬＥＤが点灯してしまうことを防ぎ、安定した色バランスを保つことができる。
【００４９】
実施の形態１では、各色制御パルス電流の電流値が閾値ＴＨDMD 以上であるか否かを、一度の測定によって判断する構成としたが、ノイズによって各色制御パルス電流の電流値が閾値ＴＨDMD 以上となる場合もあるため、各色制御パルス電流の電流値が閾値ＴＨDMD 以上であるか否かの判断を、電流値を十分に短い微少時間中に測定を複数回繰り返して、閾値ＴＨDMD 以上であるか否かを確定する構成としてもよい。微少時間内で各色制御パルス電流の電流値を複数回測定し、夫々の電流値が閾値ＴＨDMD を上下する場合はノイズによる場合が考えられるため、閾値ＴＨDMD 以上とは確定しない。この場合は、該当する各色ＬＥＤ１Ｒ，１Ｒ，…、１Ｇ，１Ｇ，…、１Ｂ，１Ｂ，…を点灯させないように制御信号を補正することでノイズを除去することができる。また、各色制御パルス電流の電流値を微少時間中に複数回ずつ測定し、何れも閾値ＴＨDMD 未満である状態から、次に複数回測定した結果、何れも閾値ＴＨDMD 以上を満たす状態に変化した場合は、パルス部の立ち上がりであって、点灯を開始するタイミングであると確定することができる。例えば、青色ＬＥＤ１Ｂ，１Ｂ，…を点灯させてからの経過時間が、青色上限時間Ｔ＿ｕｐＢを超過していない場合でも、赤色制御パルス電流の立ち上がりであることを確定したときは点灯を開始させるようにする。これにより、各色ＬＥＤ１Ｒ，１Ｒ，…、１Ｇ，１Ｇ，…、１Ｂ，１Ｂ，…の点灯時間が各色上限時間Ｔ＿ｕｐＲ，Ｔ＿ｕｐＧ，Ｔ＿ｕｐＢを超過したか否かのみで各色補正パルス電流を生成することを防ぎ、ノイズを除去して、誤ったタイミングでの点灯を回避することができる。
【００５０】
（実施の形態２）
実施の形態２では、ＤＭＤ制御部２１から入力される各色制御パルス電流にノイズが発生し、各色制御パルス電流の本来ベース部分である部分が、各色のＬＥＤを点灯させるのに充分な電流値を満たしてしまう場合に、補正部１２が各色制御パルス電流を補正して各色補正パルス電流を生成する場合について説明する。投射型表示装置のハードウェアの構成は実施の形態１と同様であるため説明を省き、補正部１２がＤＭＤ制御部２１から入力された各色制御パルス電流を補正する処理について実施の形態１と同一の符号を用いて以下に説明する。
【００５１】
実施の形態２における投射型表示装置では、各色ＬＥＤ１Ｒ，１Ｒ，…、１Ｇ，１Ｇ，…、１Ｂ，１Ｂ，…を夫々点灯させてからの点灯時間の所定の各色下限時間Ｔ＿ｄｏｗｎＲ，Ｔ＿ｄｏｗｎＧ，Ｔ＿ｄｏｗｎＢを記憶部１２１で記憶している。
【００５２】
赤色ＬＥＤ１Ｒ，１Ｒ，…が点灯中、点灯時間が赤色下限時間Ｔ＿ｄｏｗｎＲを超過するまでは、緑色制御パルス電流又は青色制御パルス電流の電流値が閾値ＴＨDMD 以上であることを検知した場合でも、緑色ＬＥＤ１Ｇ，１Ｇ，…及び青色ＬＥＤ１Ｂ，１Ｂ，…を点灯させない。
【００５３】
各色下限時間Ｔ＿ｄｏｗｎＲ，Ｔ＿ｄｏｗｎＧ，Ｔ＿ｄｏｗｎＢは、ＤＭＤ制御部２１から入力される点灯時間変更信号によって変更が可能である。各色制御パルス電流のパルス幅をＤＭＤ制御部２１で変更した場合は、ＤＭＤ２での各色の画像形成時間を示す点灯時間変更信号が図示しないＩ2 ＣＢＵＳ（ＩＣ間双方向シリアルバス）等の通信媒体を介して補正部１２に入力される。補正部１２は、入力された点灯時間変更信号に基づいて、各色下限時間Ｔ＿ｄｏｗｎＲ，Ｔ＿ｄｏｗｎＧ，Ｔ＿ｄｏｗｎＢをＤＭＤ２での各色の画像形成時間に略等しく又は各色の画像形成時間より微少時間短く設定し、記憶部１２１に記憶する。補正部１２は又、以下説明する処理手順の過程で使用する値又はフラグ等の一時的な情報を記憶部１２１に記憶する。
【００５４】
図６は、本発明に係る投射型表示装置を構成するＤＭＤ制御部２１で生成された後ノイズが発生した各色制御パルス電流及び補正部１２で補正された各色補正パルス電流の例を示すタイミングチャートである。夫々縦軸は電流値を示し、横軸は時間を示す。図６（ａ）は、ＤＭＤ制御部２１で生成され、補正部１２へ入力される途中でノイズの影響を受けた赤色制御パルス電流を示す。比較のため、ノイズが乗る前の赤色制御パルス電流を二点鎖線で示す。赤色制御パルス電流の、本来はベース部分に相当する部分に閾値ＴＨDMD を満たすノイズ信号が発生している。補正部１２が、入力される各色制御パルス電流の電流値が閾値ＴＨDMD 以上であるか否かの判断のみで各色制御回路１１Ｒ，１１Ｇ，１１Ｂに入力する各色補正パルス電流を生成する場合には、各色制御パルス電流の電流値が閾値ＴＨDMD 以上である間は、赤色ＬＥＤ１Ｒ，１Ｒ，…を点灯させるための電流値ＴＨ以上の電流が赤色制御回路１１Ｒに入力されるため、赤色ＬＥＤ１Ｒ，１Ｒ，…を点灯させてしまう。図６（ｂ）は、閾値ＴＨDMD を基準とする電流値の高低の判断のみで生成した場合の各色補正パルス電流を示す。図６（ｂ）に示す各色補正パルス電流を制御部１１の各色制御回路１１Ｒ，１１Ｇ，１１Ｂへ入力した場合は、緑色ＬＥＤ１Ｇ，１Ｇ，…のみを点灯させるべき時間中に赤色ＬＥＤ１Ｒ，１Ｒ，…を誤って点灯させてしまう時間Ｔ５、Ｔ６、Ｔ７及びＴ８が発生する。
【００５５】
そこで、補正部１２では、緑色ＬＥＤ１Ｇ，１Ｇ，…を点灯させてからの点灯時間が、緑色下限時間Ｔ＿ｄｏｗｎＧを超過していない場合は、赤色制御パルス電流の電流値が閾値ＴＨDMD 以上であるときでも、電流値ＴＨ以上の電流を赤色制御回路１１Ｒに入力しない。図６（ｃ）は、補正部１２が、緑色ＬＥＤ１Ｇ，１Ｇ，…を点灯させてから緑色下限時間Ｔ＿ｄｏｗｎＧを超過していないために赤色ＬＥＤ１Ｒ，１Ｒ，…の点灯時間ではないと判断して補正をし、赤色ＬＥＤ１Ｒ，１Ｒ，…を点灯させないために赤色制御回路１１Ｒに入力する赤色補正パルス電流を示す。
【００５６】
同様に、ノイズが発生して閾値ＴＨDMD 以上を満たす緑色制御パルス電流が補正部１２に入力されたときに、青色ＬＥＤ１Ｂ，１Ｂ，…の点灯時間及び赤色ＬＥＤ１Ｒ，１Ｒ，…の点灯時間が、青色下限時間Ｔ＿ｄｏｗｎＢ及び赤色下限時間Ｔ＿ｄｏｗｎＲを超過していない場合は、緑色ＬＥＤ１Ｇ，１Ｇ，…を点灯させないように補正した緑色補正パルス電流を緑色制御回路１１Ｇに入力する。ノイズが発生して閾値ＴＨDMD 以上を満たす青色制御パルス電流が補正部１２に入力されたときに、赤色ＬＥＤ１Ｒ，１Ｒ，…の点灯時間及び緑色ＬＥＤ１Ｇ，１Ｇ，…の点灯時間が、赤色下限時間Ｔ＿ｄｏｗｎＲ又は緑色下限時間Ｔ＿ｄｏｗｎＧを超過していない場合は青色ＬＥＤ１Ｂ，１Ｂ，…を点灯させないように補正した青色補正パルス電流を青色制御回路１１Ｂへ入力する。
【００５７】
次に、補正部１２が、上述のように各色下限時間Ｔ＿ｄｏｗｎＲ，Ｔ＿ｄｏｗｎＧ，Ｔ＿ｄｏｗｎＢに基づいてＤＭＤ制御部２１から入力された各色制御パルス電流を補正して、制御部１１の各色制御回路１１Ｒ，１１Ｇ，１１Ｂに夫々入力する各色補正パルス電流を生成する処理手順について説明する。補正部１２は、各色制御パルス電流の電流値と、各色ＬＥＤ１Ｒ，１Ｒ，…、１Ｇ，１Ｇ，…、１Ｂ，１Ｂ，…を点灯させてからの夫々の点灯時間とを色毎に計時し、各色制御パルス電流の電流値が閾値ＴＨDMD 以上であるか否かの判断と、各色ＬＥＤ１Ｒ，１Ｒ，…、１Ｇ，１Ｇ，…、１Ｂ，１Ｂ，…の夫々の点灯時間が各色下限時間Ｔ＿ｄｏｗｎＲ，Ｔ＿ｄｏｗｎＧ，Ｔ＿ｄｏｗｎＢを超過したか否かの判断とによりＤＭＤ制御部２１から入力された各色制御パルス電流を補正する。
【００５８】
また、各色制御パルス電流の電流値は、ノイズによって閾値ＴＨDMD 以上となる場合もある。そのため、補正部１２は、各色制御パルス電流の電流値が閾値ＴＨDMD 以上であるか否かの判断を、各色制御パルス電流の電流値を複数回に分けて測定し、測定した電流値の閾値ＴＨDMD を基準とする高低の変化によって確定する処理を行う。例えば、ＤＭＤ制御部２１から入力された赤色制御パルス電流は、赤色ＬＥＤ１Ｒ，１Ｒ，…の点灯開始時である場合はパルス部の立ち上がりを有するため、電流値が閾値ＴＨDMD 未満であることを測定した後、閾値ＴＨDMD 以上であることを測定することができるはずである。従って、補正部１２は、赤色制御パルス電流の電流値を複数回に分けて測定し、測定結果が何れも閾値ＴＨDMD 以上であることを確定できた場合は確定値Ｈｉｇｈを記憶部１２１に記憶し、測定結果が何れも閾値ＴＨDMD 未満であることを確定できた場合は確定値Ｌｏｗを記憶部１２１に記憶して、確定値がＬｏｗからＨｉｇｈに変化したと判断できた場合に初めて、赤色制御パルス電流の電流値が閾値ＴＨDMD 以上であり、赤色ＬＥＤ１Ｒ，１Ｒ，…の点灯開始時であると判断する。
【００５９】
図７は、補正部１２が、ＤＭＤ制御部２１から入力された赤色制御パルス電流を補正する処理手順を示すフローチャートである。
【００６０】
補正部１２は、ＤＭＤ制御部２１からの赤色制御パルス電流の電流値を例えば１ｍｓｅｃの間に３度測定し、測定した電流値Ｉｒ１，Ｉｒ２，Ｉｒ３を記憶部１２１に一時的に記憶する（ステップＳ２０１）。補正部１２は、電流値Ｉｒ１，Ｉｒ２，Ｉｒ３が何れも閾値ＴＨDMD 以上を満たすか否かを判断する（ステップＳ２０２）。補正部１２が電流値Ｉｒ１，Ｉｒ２，Ｉｒ３の何れかが閾値ＴＨDMD 以上を満たさないと判断した場合は（Ｓ２０２：ＮＯ）、補正部１２は、測定した電流値Ｉｒ１，Ｉｒ２，Ｉｒ３が何れも閾値ＴＨDMD 未満であるか否かを判断する（ステップＳ２０３）。補正部１２が電流値Ｉｒ１，Ｉｒ２，Ｉｒ３の何れかが閾値ＴＨDMD 未満でないと判断した場合は（Ｓ２０３：ＮＯ）、補正部１２は、前回確定した確定値Ｌｏｗ又は確定値Ｈｉｇｈの何れかの確定値をそのまま最近の確定値として記憶部１２１に記憶し、処理をステップ２０１に戻して赤色制御パルス電流の電流値の測定を継続する。赤色制御パルス電流の電流値Ｉｒ１，Ｉｒ２，Ｉｒ３が、閾値ＴＨDMD を基準として低、高、低である場合、又は高、高、低である場合等の電流値が閾値ＴＨDMD より高いと判断される部分は、ノイズによって閾値ＴＨDMD 以上を満たしていることによると考えられる。この場合、赤色制御パルス電流の電流値が閾値ＴＨDMD 以上であるか否かを一回の電流値の測定のみで判断する場合は、ノイズによって赤色ＬＥＤ１Ｒ，１Ｒ，…を点灯させてしまうが、本発明では、複数回の測定による確定値によって判断することで、赤色ＬＥＤ１Ｒ，１Ｒ，…を誤って点灯させてしまうことを防ぐことができる。
【００６１】
補正部１２が電流値Ｉｒ１，Ｉｒ２，Ｉｒ３の何れかが閾値ＴＨDMD 以上を満たさないと判断した場合で（Ｓ２０２：ＮＯ）、且つ、補正部１２が測定した電流値Ｉｒ１，Ｉｒ２，Ｉｒ３が何れも閾値ＴＨDMD 未満であると判断した場合は（Ｓ２０３：ＹＥＳ）、赤色制御パルス電流の電流値は閾値ＴＨDMD 未満であると確定し、確定値Ｌｏｗを記憶部１２１に記憶する（ステップＳ２０４）。補正部１２は、処理をステップＳ２０１に戻し、赤色制御パルス電流の電流値の測定を継続する。青色ＬＥＤ１Ｂ，１Ｂ，…が点灯している間、赤色制御パルス電流にノイズが発生していない場合は、再度ステップＳ２０１で測定した赤色制御パルス電流の電流値Ｉｒ１，Ｉｒ２，Ｉｒ３は何れも閾値ＴＨDMD 未満であると判断され、赤色制御パルス電流の電流値はＬｏｗであると確定され続ける。
【００６２】
補正部１２がステップＳ２０１で測定した電流値Ｉｒ１，Ｉｒ２，Ｉｒ３が何れも閾値ＴＨDMD 以上であると判断した場合は（Ｓ２０２：ＹＥＳ）、補正部１２は、赤色制御パルス電流の電流値は閾値ＴＨDMD 以上であると確定し、確定値Ｈｉｇｈを記憶部１２１に記憶する（ステップＳ２０５）。
【００６３】
次に、補正部１２は、記憶部１２１に記憶した最近の確定値がＬｏｗであるか否かを判断する（ステップＳ２０６）。補正部１２が最近の確定値がＬｏｗでないと判断した場合は（Ｓ２０６：ＮＯ）、最近の確定値はＨｉｇｈであるため、既に赤色ＬＥＤ１Ｒ，１Ｒ，…を点灯済みである場合が考えられる。従って、補正部１２は、赤色点灯確定済みか否かを、記憶部１２１に赤色点灯確定済みのフラグが記憶されているか否かで判断する（ステップＳ２０７）。補正部１２が赤色点灯確定済みであると判断した場合は（Ｓ２０７：ＹＥＳ）、補正部１２は、既に赤色ＬＥＤ１Ｒ，１Ｒ，…が点灯し、点灯されてからの点灯時間の計時を開始しているため、処理をステップＳ２０１へ戻し、赤色制御パルス電流の電流値の測定を継続する。赤色ＬＥＤ１Ｒ，１Ｒ，…が点灯中は、確定値はＨｉｇｈであると確定され続けるが、赤色点灯確定済みであると判断されるため、補正部１２が何度も赤色ＬＥＤ１Ｒ，１Ｒ，…の点灯時間の計時を開始してしまうことはない。
【００６４】
一方、補正部１２が、記憶している最近の確定値はＬｏｗであると判断した場合は（Ｓ２０６：ＹＥＳ）、補正部１２は、赤色ＬＥＤ１Ｒ，１Ｒ，…を点灯させるべきタイミングであると一旦判断する。赤色ＬＥＤ１Ｒ，１Ｒ，…の点灯開始時である場合は、赤色制御パルス電流のパルス部の立ち上がりであるため、確定値はＬｏｗからＨｉｇｈへ変化しているために、記憶部１２１に最近に記憶した確定値はＬｏｗであるはずだからである。
【００６５】
しかし、補正部１２は、緑色ＬＥＤ１Ｇ，１Ｇ，…の点灯時間及び青色ＬＥＤ１Ｂ，１Ｂ，…の点灯時間が、青色下限時間Ｔ＿ｄｏｗｎＢ及び緑色下限時間Ｔ＿ｄｏｗｎＧを超過しているか否かを判断する（ステップＳ２０８）。ノイズによって、最近の確定値が偶然にＬｏｗであり、今回の確定値が偶然にＨｉｇｈである場合を除去するためである。
【００６６】
また、前記ステップＳ２０７によって、補正部１２が赤色点灯確定済みでないと判断した場合も（Ｓ２０７：ＮＯ）、補正部１２は、緑色ＬＥＤ１Ｇ，１Ｇ，…の点灯時間及び青色ＬＥＤ１Ｂ，１Ｂ，…の点灯時間が、青色下限時間Ｔ＿ｄｏｗｎＢ及び緑色下限時間Ｔ＿ｄｏｗｎＧを超過しているか否かを判断する（Ｓ２０８）。赤色制御パルス電流のパルス部の立ち上がりにノイズが発生して、赤色ＬＥＤ１Ｒ，１Ｒ，…を点灯開始すべき時間より前から赤色制御パルス電流の電流値が閾値ＴＨDMD 以上を満たしてしまい、そのまま本来赤色ＬＥＤ１Ｒ，１Ｒ，…を点灯させるためのタイミングに重複した場合は、確定値はＨｉｇｈであり続け、ＬｏｗからＨｉｇｈへ変化する立ち上がりをステップＳ２０６で検知できないことが考えられるためである。しかし、閾値ＴＨDMD 以上であることを検知し、確定値Ｈｉｇｈが連続して確定された場合でも、前記赤色点灯確定済みか否かの判断（Ｓ２０７）及び他の色の点灯時間が下限時間を超過したか否かの判断（Ｓ２０８）により、赤色ＬＥＤ１Ｒ，１Ｒ，…を点灯させるべき時間を看過してしまうことを防ぐことができる。
【００６７】
補正部１２が緑色ＬＥＤ１Ｇ，１Ｇ，…の点灯時間及び青色ＬＥＤ１Ｂ，１Ｂ，…の点灯時間が、青色下限時間Ｔ＿ｄｏｗｎＢ及び緑色下限時間Ｔ＿ｄｏｗｎＧを超過していないと判断した場合は（Ｓ２０８：ＮＯ）、ノイズによって偶然にＬｏｗからＨｉｇｈへ変化した場合、又はノイズによってＨｉｇｈと確定され続けている場合であると判断できるため、補正部１２は、処理をステップＳ２０１に戻し、赤色制御パルス電流の電流値の測定を継続する。
【００６８】
補正部１２が、緑色ＬＥＤ１Ｇ，１Ｇ，…の点灯時間及び青色ＬＥＤ１Ｂ，１Ｂ，…の点灯時間が、青色下限時間Ｔ＿ｄｏｗｎＢ及び緑色下限時間Ｔ＿ｄｏｗｎＧを超過したと判断した場合は（Ｓ２０８：ＹＥＳ）、赤色ＬＥＤ１Ｒ，１Ｒ，…を点灯させるべき時間であるため、補正部１２は、電流値が閾値ＴＨ以上の赤色補正パルス電流を赤色制御回路１１Ｒに入力して赤色ＬＥＤ１Ｒ，１Ｒ，…を点灯させ、青色制御回路１１Ｂに入力していた青色補正パルス電流の電流値を閾値ＴＨ未満にして青色ＬＥＤ１Ｂ，１Ｂ，…を消灯させ（ステップＳ２０９）、赤色ＬＥＤ１Ｒ，１Ｒ，…の点灯時間の計時を開始する（ステップＳ２１０）。補正部１２は、赤色ＬＥＤ１Ｒ，１Ｒ，…は既に点灯させたので処理が再度ステップＳ２０８に進むことを防ぐため、赤色点灯確定済みであることを示すフラグを記憶部１２１に記憶し、また、青色ＬＥＤ１Ｂ，１Ｂ，…は消灯したため、青色点灯未確定であることを示すフラグを記憶部１２１に記憶する（ステップＳ２１１）。
【００６９】
上述の処理手順により、補正部１２が赤色制御パルス電流に発生したノイズに関わらず、赤色ＬＥＤ１Ｒ，１Ｒ，…以外のＬＥＤ１Ｇ，１Ｇ，…、１Ｂ，１Ｂ，…の点灯中に赤色ＬＥＤ１Ｒ，１Ｒ，…を点灯させてしまうことを防ぎ、点灯させるべきタイミングに点灯させることができる。
【００７０】
上述の赤色制御パルス電流を補正する処理手順と同様の処理手順を、緑色制御パルス電流及び青色制御パルス電流にも同様に行う。何れの処理も、補正部１２が、赤色制御パルス電流を補正して赤色制御回路１１Ｒに赤色補正パルス電流を入力する処理手順とほぼ同様であるため説明を省く。補正部１２は、各色についての処理を夫々並列して行い、記憶部１２１に処理過程で記憶される値又はフラグ、計時部１２２での各色ＬＥＤ１Ｒ，１Ｒ，…、１Ｇ，１Ｇ，…、１Ｂ，１Ｂ，…の点灯してからの経過時間を共有して、ＲＧＢ各色の各色ＬＥＤ１Ｒ，１Ｒ，…、１Ｇ，１Ｇ，…，１Ｂ，１Ｂ，…をＲＧＢの順で点灯させることができる。
【００７１】
以上の処理により、ある色のＬＥＤの点灯時間中に、ノイズによって他の色のＬＥＤを点灯させる閾値以上の電流値を有する制御パルス電流が入力された場合でも、補正部によってノイズを除去した補正パルス電流を生成して各色制御回路に入力することにより、誤った色のＬＥＤが点灯してしまうことを防ぎ、点灯させるべき色のＬＥＤのみを点灯させて安定した色バランスを保つことができる。また、各色制御パルス電流の電流値の微少時間中の変化によって電流値が閾値以上であることを確定できた場合に各色の点灯時間の計時を開始するため、点灯時間が下限時間を超過したか否かのみで各色ＬＥＤの点灯及び消灯を制御することで、ＤＭＤ制御部からの本来の制御パルス電流を無視してＤＭＤでの画像形成と同期しない色のＬＥＤを誤って点灯させてしまうことを防ぐことができる。
【００７２】
尚、実施の形態２では、制御パルス電流の電流値を微少時間内で複数回測定することを繰り返し、微少時間内での複数回の測定結果が全て閾値以下である状態から、次の複数回の測定結果が全て閾値以上である状態に変化した場合に、制御パルス電流がノイズによるものではないと判断する構成としたが、単に制御パルス電流の電流値が閾値以上であるか否かの判断と、点灯時間が下限時間を超過したか否かの判断とで、補正パルス電流を生成する構成とするのでもよい。
【００７３】
また、実施の形態１の各色上限時間及び実施の形態２の各色下限時間を併せて記憶部で記憶し、一の色の制御パルス電流の電流値が上限時間を超過しても閾値以上を満たさない場合は、当該一の色のＬＥＤを点灯させて点灯時間を計時し、当該点灯時間が下限時間を超過しない間は、他の色のＬＥＤを点灯させないように制御することにより、制御部で生成される各色制御パルス電流の何れの部分でノイズが乗った場合でも、ノイズを除去した補正パルス電流で各色のＬＥＤの点灯及び消灯を制御することができる。
【００７４】
尚、実施の形態１又は２の補正部は、各色制御回路へ入力される各色補正パルス電流にノイズが発生することを防ぐために各色制御回路を有する制御部の極めて近傍に配されていることが有効である。例えば、同一の基板上等に構成することがノイズを防ぐためにより有効である。
【００７５】
また、本発明の適用は、実施の形態１又は２に限定するものではないことは勿論である。実施の形態１及び２では、画像デバイスは一枚のＤＭＤである例を示したが、これに限らず、３枚のＤＭＤで構成してもよい。また、液晶パネルによって画像を形成する構成としてもよい。
【００７６】
更に、実施の形態１及び２では、ＲＧＢ各色を一色毎に点灯させる例を示したが、例えばＲＧＢ各色を二色毎に点灯させて、補色であるＣ（シアン）Ｍ（マゼンダ）Ｙ（イエロー）を生成する構成としてもよい。この場合は、ＤＭＤ制御部から、シアン用の画像をＤＭＤで生成するタイミングには緑色ＬＥＤ及び青色ＬＥＤを発光させる緑色制御パルス電流及び青色制御パルス電流が生成され、マゼンダ用の画像をＤＭＤで生成するタイミングには赤色ＬＥＤ及び青色ＬＥＤを発光させる赤色制御パルス電流及び青色制御パルス電流が生成される。さらに、イエロー用の画像をＤＭＤで生成するタイミングには赤色ＬＥＤ及び緑色ＬＥＤを発光させる赤色制御パルス電流及び緑色制御パルス電流が生成される。この場合は、補正部は、各色の点灯時間を記憶し、緑色ＬＥＤを点灯させてから緑色点灯時間が経過するまでは赤色ＬＥＤを点灯させず、青色ＬＥＤを点灯させてから青色点灯時間が経過するまでは緑色ＬＥＤを点灯させず、及び赤色ＬＥＤを点灯させてから赤色点灯時間が経過するまでは青色ＬＥＤを点灯させない構成とする。これにより、ＲＧＢ各色のＬＥＤを安定して制御して色バランスを安定して保つことができる、明度の高い投射型表示装置を実現することができる。
【図面の簡単な説明】
【００７７】
【図１】本発明に係る投射型表示装置の構成を示すブロック図である。
【図２】本発明に係る投射型表示装置を構成するＤＭＤ制御部で生成される各色制御パルス電流及び補正部で補正された後の各色補正パルス電流の例を示すタイミングチャートである。
【図３】本発明に係る投射型表示装置を構成するＤＭＤ制御部で生成された後ノイズが発生した各色制御パルス電流及び補正部で補正された各色補正パルス電流の例を示すタイミングチャートである。
【図４】補正部が、ＤＭＤ制御部から入力された各色制御パルス電流を補正する処理手順を示すフローチャートである。
【図５】補正部が、ＤＭＤ制御部から入力された各色制御パルス電流を補正する処理手順を示すフローチャートである。
【図６】本発明に係る投射型表示装置を構成するＤＭＤ制御部で生成された後ノイズが発生した各色制御パルス電流及び補正部で補正された各色補正パルス電流の例を示すタイミングチャートである。
【図７】補正部が、ＤＭＤ制御部から入力された赤色制御パルス電流を補正する処理手順を示すフローチャートである。
【符号の説明】
【００７８】
１  光源
１Ｒ  赤色ＬＥＤ
１Ｇ  緑色ＬＥＤ
１Ｂ  青色ＬＥＤ
１１  制御部
１１Ｒ  赤色制御回路
１１Ｇ  緑色制御回路
１１Ｂ  青色制御回路
１２  補正部
２  ＤＭＤ（画像デバイス）
２１  ＤＭＤ制御部
【図１】
2008083560.tif 000003
【図２】
2008083560.tif 000004
【図３】
2008083560.tif 000005
【図４】
2008083560.tif 000006
【図５】
2008083560.tif 000007
【図６】
2008083560.tif 000008
【図７】
2008083560.tif 000009